(57)【要約】【課題】  果こうを折れにくくすることができると共に、栽培密度を高めることができる植物栽培方法及び植物栽培装置を提供する。【解決手段】  本発明では、細長の栽培容器６０〜６２に株を一条で植えるが、植え付け位置を長手方向に沿った一方の側壁６０ａ，６１ａ，６２ａに偏在させる。このため、果こうを、対向する他方の側壁６０ｂ，６１ｂ，６２ｂに向けて生長させ、さらに該他方の側壁６０ｂ，６１ｂ，６２ｂを乗り越えるように生長させることで、他方の側壁６０ｂ，６１ｂ，６２ｂは果実に近い部分の果こうを支持できる。従って、果実の重みによって果こうにかかる負荷が小さくなり、果こうを支えるための特別な補助具を使用しなくても、果こうの折れを抑制できる。また、一条植えであるため、二条植えと異なり、隣接する植物によって採光が遮られることもない。【選択図】  図３
2007044006.tif 000002
【特許請求の範囲】
【請求項１】
細長の栽培容器の長手方向に沿って、複数の株を一条に植えて栽培する植物栽培方法において、
前記栽培容器の一方の側壁寄りに偏在させて前記株を植え、各株の果こうを他方の側壁を乗り越えさせて生長させることを特徴とする植物栽培方法。
【請求項２】
前記栽培容器の長手方向を東西方向に沿わせて配置することを特徴とする請求項１記載の植物栽培方法。
【請求項３】
前記栽培容器の幅が１０〜２０ｃｍの範囲であり、一条に植えられる各株を、隣接する株間の間隔が５〜１５ｃｍの範囲となるように植えて栽培することを特徴とする請求項１又は２記載の植物栽培方法。
【請求項４】
前記栽培容器を互いに略平行となるように所定の高さで複数支持できると共に、各栽培容器の支持高さを調整可能な植物栽培装置を用いて栽培することを特徴とする請求項１〜３のいずれか１に記載の植物栽培方法。
【請求項５】
前記栽培容器を、前記植物栽培装置に３列支持させて栽培することを特徴とする請求項４記載の植物栽培方法。
【請求項６】
前記植物栽培装置は、互いに略平行に設けられる各栽培容器の長手方向端部を支持する支持部材を備えてなり、該支持部材の一端と他端を上昇又は下降させることにより、各栽培容器の支持高さを調整可能であることを特徴とする請求項４又は５記載の植物栽培方法。
【請求項７】
前記各栽培容器において前記株が偏在している一方の側壁を、いずれも北側に位置させて支持することを特徴とする請求項７記載の植物栽培方法。
【請求項８】
前記各栽培容器に植えられた株元からランナーを発生させ、該ランナーに第１番目の子株に葉が展開した後、次のランナーが伸びて第２番目の子株の葉が展開する前の段階のいずれかの時点で、第１番目の子株の葉が残るようにカットすることを特徴とする請求項１〜７のいずれか１に記載の植物栽培方法。
【請求項９】
栽培対象の植物がイチゴであることを特徴とする請求項１〜８のいずれか１に記載の植物栽培方法。
【請求項１０】
所定の高さに回転可能に支持された回転軸と、
前記回転軸の長手方向に対して略直交する方向に沿って配置される栽培容器を吊り下げ支持する棒状の支持部材と
を備えた植物栽培装置であって、
前記支持部材の一端付近、中央付近、及び他端付近に、細長の栽培容器が互いに略平行に３列で支持され、
前記回転軸の回転により、前記支持部材の一端と他端を上昇又は下降させることにより、各栽培容器の支持高さを調整可能であることを特徴とする植物栽培装置。
【請求項１１】
前記栽培容器には、該栽培容器の長手方向に沿って、複数の株が一条に植えられていることを特徴とする請求項１０記載の植物栽培装置。
【発明の詳細な説明】
【技術分野】
【０００１】
本発明は、植物栽培方法及び植物栽培装置に関し、特に、イチゴの栽培に適する植物栽培方法及び植物栽培装置に関する。
【背景技術】
【０００２】
平面から見て長方形の栽培容器を用いたイチゴの栽培では、一般には、ある程度の幅を有する栽培容器を用いて二条植え、あるいは、千鳥状の二条植えが多く行われているが、特許文献１及び２に開示されているように、一条植えでの栽培も行われている。
【特許文献１】特開２００１−２８６２２５号公報
【特許文献２】特開平３−２５９０２０号公報
【発明の開示】
【発明が解決しようとする課題】
【０００３】
二条植えの場合、上記したようにある程度の幅を有する栽培容器を用いる必要があり、充填される培地も含めた栽培容器の重量が重く、取り扱いが不便であると共に、生長するに従って隣接する株の葉の陰になる面積が大きくなり、採光上の問題がある。また、各条の株から伸びる果こうは、それぞれに近接する栽培容器の側壁を乗り越えさせて生長させるため、側壁が近いことから、果こうを支持するための補助具を使用しないと、果実の重みにより果こうが折れやすい。一方、従来行われている一条植えは、栽培容器の中央に沿って株を植えている。一条植えの場合には、二条植えと異なり、隣接する株の葉の陰になることはない。しかしながら、栽培容器の側壁との距離は、二条植えよりも長くなるものの、それほど大きな差ではないため、やはり果こうを支えるための補助具を用いないと果こうが折れやすい。その一方、一条植えであったとしても、隣接して配置される栽培容器との間隔をある程度保たないと、作業者が作物に近づくことができず、栽培管理に不都合を来す。従って、一条植えの場合でも、栽培容器同士の間隔をある程度保つ必要があり、二条植えよりも栽培密度が低くなりがちであるという問題がある。
【０００４】
本発明は上記に鑑みなされたものであり、隣接する株の葉の陰になることがない一条植えを採用すると共に、従来よりも果こうを折れにくくすることができる植物栽培方法及び植物栽培装置を提供することを課題とする。また、本発明は、一条植えでありながら、隣接する栽培容器同士の間隔を最小限にすることができ、栽培密度を高めることができる植物栽培方法及び植物栽培装置を提供することを課題とする。
【課題を解決するための手段】
【０００５】
上記した課題を解決するため、請求項１記載の本発明では、細長の栽培容器の長手方向に沿って、複数の株を一条に植えて栽培する植物栽培方法において、
前記栽培容器の一方の側壁寄りに偏在させて前記株を植え、各株の果こうを他方の側壁を乗り越えさせて生長させることを特徴とする植物栽培方法を提供する。
請求項２記載の本発明では、前記栽培容器の長手方向を東西方向に沿わせて配置することを特徴とする請求項１記載の植物栽培方法を提供する。
請求項３記載の本発明では、前記栽培容器の幅が１０〜２０ｃｍの範囲であり、一条に植えられる各株を、隣接する株間の間隔が５〜１５ｃｍの範囲となるように植えて栽培することを特徴とする請求項１又は２記載の植物栽培方法を提供する。
請求項４記載の本発明では、前記栽培容器を互いに略平行となるように所定の高さで複数支持できると共に、各栽培容器の支持高さを調整可能な植物栽培装置を用いて栽培することを特徴とする請求項１〜３のいずれか１に記載の植物栽培方法を提供する。
請求項５記載の本発明では、前記栽培容器を、前記植物栽培装置に３列支持させて栽培することを特徴とする請求項４記載の植物栽培方法を提供する。
請求項６記載の本発明では、前記植物栽培装置は、互いに略平行に設けられる各栽培容器の長手方向端部を支持する支持部材を備えてなり、該支持部材の一端と他端を上昇又は下降させることにより、各栽培容器の支持高さを調整可能であることを特徴とする請求項４又は５記載の植物栽培方法を提供する。
請求項７記載の本発明では、前記各栽培容器において前記株が偏在している一方の側壁を、いずれも北側に位置させて支持することを特徴とする請求項７記載の植物栽培方法を提供する。
請求項８記載の本発明では、前記各栽培容器に植えられた株元からランナーを発生させ、該ランナーに第１番目の子株に葉が展開した後、次のランナーが伸びて第２番目の子株の葉が展開する前の段階のいずれかの時点で、第１番目の子株の葉が残るようにカットすることを特徴とする請求項１〜７のいずれか１に記載の植物栽培方法を提供する。
請求項９記載の本発明では、栽培対象の植物がイチゴであることを特徴とする請求項１〜８のいずれか１に記載の植物栽培方法を提供する。
請求項１０記載の本発明では、所定の高さに回転可能に支持された回転軸と、
前記回転軸の長手方向に対して略直交する方向に沿って配置される栽培容器を吊り下げ支持する棒状の支持部材と
を備えた植物栽培装置であって、
前記支持部材の一端付近、中央付近、及び他端付近に、細長の栽培容器が互いに略平行に３列で支持され、
前記回転軸の回転により、前記支持部材の一端と他端を上昇又は下降させることにより、各栽培容器の支持高さを調整可能であることを特徴とする植物栽培装置を提供する。
請求項１１記載の本発明では、前記栽培容器には、該栽培容器の長手方向に沿って、複数の株が一条に植えられていることを特徴とする請求項１０記載の植物栽培装置を提供する。
【発明の効果】
【０００６】
本発明では、細長の栽培容器に株を一条で植えるが、植え付け位置を長手方向に沿った一方の側壁に偏在させている。このため、果こうを、対向する他方の側壁に向けて生長させ、さらに該他方の側壁を乗り越えるように生長させることで、他方の側壁は果実に近い部分の果こうを支持できる。従って、果実の重みによって果こうにかかる負荷が小さくなり、果こうを支えるための特別な補助具を使用しなくても、果こうの折れを抑制できる。また、補助具を使用しなくてもよいため、栽培容器同士の間隔をより狭い間隔にすることができ、栽培密度の向上に資する。また、一条植えであるため、二条植えと異なり、隣接する植物によって採光が遮られることもない。
【０００７】
また、株を一条で植えた栽培容器を複数列支持することができると共に、各栽培容器の支持高さを調整可能な植物栽培装置を用いることにより、一条植えの栽培容器を近接させて配置しても、各栽培容器の支持高さを調整し、段違いにすれば、作業者が入る空間が確保でき、栽培管理も容易に行うことができる。このため、一条植えの栽培方法でありながら、栽培密度を高めることができる。また、栽培容器には、株を一条で植えるため、栽培容器としては従来の二条植えと比較するとはるかに幅の狭いものを採用できる。従って、栽培容器を３列で配置することも可能であり、これにより、栽培密度をより高めることができる。また、栽培容器の長手方向を東西方向に沿わせて配置することにより、各植物への採光条件をより適切に確保できる。
【発明を実施するための最良の形態】
【０００８】
以下、図面に示した実施の形態に基づき本発明をさらに詳細に説明する。図１及び図２は、本実施形態にかかる植物栽培装置１を示すである。これらの図に示したように、本実施形態の植物栽培装置１は、支え梁１０により支持された回転軸２０と、該回転軸２０に支持される支持部材３０と、該支持部材３０に取り付けられる一対のプーリ４０，４１と、駆動用紐部材５０とを有して構成される。
【０００９】
回転軸２０を支持する支え梁１０は、図１に示したように、温室内に所定の高さで配設されている。支え梁１０は回転軸２０を所定の高さで支持するものであるが、回転軸２０を所定の高さで支持することができる限り、支え梁１０に代えて地面に立設したパイプ材（図示せず）等を用いることもできる。
【００１０】
回転軸２０は、上記のように支え梁１０に支持されるが、回転軸２０を回転させる手段は任意であり、回転軸２０の長手方向の端部にハンドル（図示せず）を接続して手動で回転させる構成とすることができるし、モータ駆動によって回転させる構成とすることもできる。
【００１１】
支持部材３０は、回転軸２０の支持高さよりも下方であって、回転軸２０の長手方向に対して略直交する方向に配置される棒状（長板状）の部材から構成され、回転軸２０の長手方向に任意の間隔をおいて、複数配設される。支持部材３０には、その一端付近、中央付近、及び他端付近に、細長の栽培容器６０〜６２が互いに略平行に３列で吊り下げ支持される。各栽培容器６０〜６２としては、幅１０〜２０ｃｍ、長さ５０〜５００ｃｍ程度の細長のものが用いられるため、支持部材３０は、かかる栽培容器６０〜６２の長手方向端部付近を支持可能な間隔をおいて設けられる。
【００１２】
支持部材３０に栽培容器６０〜６２を吊り下げ支持する手段は任意であり、例えば、図１に示したように、支持部材３０の各端部付近及び中央部付近に支持用突起３１を設け、該支持用突起３１に紐状部材３２を介して各栽培手段６０〜６２を吊り下げることができる。なお、栽培容器６０〜６２は、布、プラスチック、金属等から、上記したように、幅１０〜２０ｃｍ、長さ５０〜５００ｃｍ程度の細長に形成されて、内部に培地を充填可能となっている。特に、本発明では、栽培容器６０〜６２に株を一条で植えるため、その幅は狭くてよく、従来一般に使用されている二条植え用のものと比較して小型で軽量なものを用いることができる。
【００１３】
駆動用紐部材５０は、各端部５１，５２が支え梁１０に固定され、中途部５３が回転軸２０に巻き掛けられていると共に、各端部５１，５２と該中途部５３との間の部位５４，５５が支持部材３０に設けた２つのプーリ４０，４１の下側に巻き掛けられて配設される。これにより、回転軸２０を時計回り又は反時計回りに回転させると、駆動用紐部材５０のうち、回転軸２０を経て支持部材３０方向に引き出された部位の長さが変わり、該支持部材３０の右側端部又は左側端部が上昇又は下降する。なお、図中、符号７０は各栽培容器６０〜６２に接続される排水ホースであり、符号７１は各排水ホース７０からの排液を集液して排出する配水管である。
【００１４】
ここで、各栽培容器６０〜６２には、図３に示したように、株が、一方の側壁６０ａ，６１ａ，６２ａに偏在させて一条に定植される。この際、隣接する株間の間隔は５〜１５ｃｍの範囲にすることが好ましい。そして、各株の果こうを、他方の側壁６０ｂ，６１ｂ，６２ｂ方向に伸長させ、該他方の側壁６０ｂ，６１ｂ，６２ｂを乗り越えさせるように生長させる。これにより、株に近い一方の側壁６０ａ，６１ａ，６２ａを乗り越えさせるように生長させる場合と比較し、果実の重みによる果こうの負荷が小さくなるため、果こうを支持するための特別な補助具を用いなくても折れにくくなる。
【００１５】
また、各栽培容器６０〜６２は、上記した植物栽培装置１に、その長手方向が東西を向くように支持されることが好ましく、さらには、果こうが伸びる方向である他方の側壁６０ｂ，６１ｂ，６２ｂが南側に位置するように配置することがより好ましい。各栽培容器６０〜６２には、その長手方向に沿って各植物が一条に植えられているが、それらへの日照条件が均等化され、長手方向の一端側と他端側に植えられる植物の生育差を小さくできる。また、果こうの伸びる方向が南側であるため、果実の着色も良好となる。
【００１６】
また、従来の二条植えの栽培方法の場合、各栽培容器の両側に果こうが生長し、果実が結実するため、隣接する栽培容器間の間隔も所定以上に保つ必要がある。このため、本実施形態のような植物栽培装置を利用して上下動させる場合、二条植えでは、栽培容器を２列で支持することしか行われていない。しかしながら、本実施形態では、各栽培容器６０〜６２に、各植物を一条で植えているため、上記したように各栽培容器６０〜６２として幅の狭いものを用いることができる。このため、本実施形態のように、支持部材３０に栽培容器６０〜６２を３列で設けることも可能であり、栽培容器６０〜６２に植物を一条で植えるものでありながら、高い栽培密度を実現できる。
【００１７】
ここで、作業用通路から各栽培容器６０〜６２に対して何らかの作業を施す際、図１に示したように、各栽培容器６０〜６２の高さがほぼ同じ位置のままだと、いずれか一方の作業用通路からは、他方の作業用通路に近い栽培容器に対する作業が行いにくくなる。そこで、このような場合には、回転軸２０をいずれかの方向に回転させて図２に示したような状態にすると、一方の作業用通路からいずれの栽培容器６０〜６２に対しても容易に手が届き、作業性が向上する。
【００１８】
なお、本発明において栽培対象となる植物は、種々の果菜類等が挙げられるが、果こうの保護性が高いことから、イチゴの栽培に最も適している。イチゴを栽培する場合、各栽培容器６０〜６２に植えられた株元からはランナー８０が発生するが、このランナー８０は、図４に示したように、第１番目の子株８１に葉が展開した後、次のランナーが伸びて第２番目の子株の葉が展開する前の段階のいずれかの時点で、第１番目の子株８１の葉が残るようにカットすることが好ましい。これにより、子株８１の葉の光合成作用も機能し、各栽培容器６０〜６２に植えられている親株の果実の生育がより良好となる。
【００１９】
また、植物を栽培容器の一方の側壁側に偏在させて一条に植えて栽培する方法は、上記実施形態で示した栽培容器を上下動させる植物栽培装置に用いるだけでなく、栽培容器を移動させない設備においてももちろん適用可能である。その場合でも、果こうを折れにくくする等の機能を奏する。但し、近接させて配置しても隣接する各栽培容器で生長する植物への手入れ作業を容易化できると共に、栽培密度を高めることができるため、上記実施形態のような植物栽培装置を用いることが好ましい。
【図面の簡単な説明】
【００２０】
【図１】図１は、本発明の一の実施形態にかかる植物栽培装置を用いた植物栽培方法を説明するための図であり、栽培容器同士を略水平状態で複数並列に配置した状態を示す図である。
【図２】図２は、図１の植物栽培装置の回転軸を所定量回転させ、各栽培容器の上下高さを異ならせた状態を示す図である。
【図３】図３は、上記実施形態にかかる植物栽培方法を説明するための図である。
【図４】図４は、ランナーを伸長させて栽培する場合の栽培方法を説明するための図である。
【符号の説明】
【００２１】
１  植物栽培装置（
１０  支え梁
２０  回転軸
３０  支持部材
４０，４１  プーリ
５０  駆動用紐部材
６０，６１，６２  栽培容器
【図１】
2007044006.tif 000003
【図２】
2007044006.tif 000004
【図３】
2007044006.tif 000005
【図４】
2007044006.tif 000006